(57)【要約】【課題】記録媒体の記録内容が書き換わっても記録媒体の記録内容を確認する手間をなくし、一目で認識することができる記録媒体および記録再生装置を提供する。【解決手段】この記録媒体は、該記録媒体のレーベル面を書き換え可能とするように、熱可逆性記録材料を用いて表面処理を施した領域を持っている。上記の記録媒体を用いる記録再生装置では、装置の使用を終了するときに、前記記録媒体に記録されている情報を読み出して、前記記録媒体のレーベル面に記録された目視情報を消去するとともに、該読み出した情報で該レーベル面上を書き換えるようにした。この場合、記録媒体をローディングするときに、該記録媒体の幅を検知して決定した前記レーベル面の幅に応じて、前記記録媒体から読み出した情報を同心円状または螺旋形状に印刷するように制御する。【選択図】図５
2005285201.tif 000002
【特許請求の範囲】
【請求項１】
記録内容を書き換え可能な記録媒体であって、該記録媒体のレーベル面に目視情報を記録できる書き換え可能な表面処理を施した領域を有することを特徴とする記録媒体。
【請求項２】
請求項１に記載の記録媒体において、熱可逆性記録材料を用いて表面処理を施すようにしたことを特徴とする記録媒体。
【請求項３】
請求項１または２に記載の記録媒体において、前記記録された目視情報は、前記レーベル面上に、該記録媒体の回転中心を中心とする複数の円周上に記録されていることを特徴とする記録媒体。
【請求項４】
請求項１または２に記載の記録媒体において、前記記録された目視情報は、前記レーベル面上に、該記録媒体の回転中心を中心とする螺旋形状に記録されていることを特徴とする記録媒体。
【請求項５】
請求項１乃至４のいずれかに記載の記録媒体を用いて記録／記録再生が可能な記録再生装置であって、前記記録媒体に記録されている情報を読み出す読出手段と、前記記録媒体のレーベル面に記録された目視情報を消去するとともに、該読み出した情報で該レーベル面上を書き換える印刷手段とを備えたことを特徴とする記録再生装置。
【請求項６】
請求項５に記載の記録再生装置において、前記印刷手段は、前記記録媒体のレーベル面の熱可逆性記録材料の加熱状態を制御し、該熱可逆性記録材料を発色状態にして目視可能とし、また、該熱可逆性記録材料を消色状態にして目視情報を消去するようにしたことを特徴とする記録再生装置。
【請求項７】
請求項５または６に記載の記録再生装置において、前記記録媒体をローディングするときに、該記録媒体の幅を検知して前記レーベル面の幅を決定する検知手段を備え、前記印刷手段は、該レーベル面の幅に応じて印刷するようにしたことを特徴とする記録再生装置。
【請求項８】
請求項５、６または７に記載の記録再生装置において、前記印刷手段は、前記記録媒体から読み出した情報を同心円状または螺旋形状に印刷するように制御することを特徴とする記録再生装置。
【請求項９】
請求項５乃至８いずれかに記載の記録再生装置において、前記記録媒体に記録されたデータ名を選択するデータ名選択手段を備え、前記印刷手段は、前記データ名選択手段で選択されたデータ名に関連した情報を該記録媒体のレーベル面へ印刷するようにしたことを特徴とする記録再生装置。
【発明の詳細な説明】
【技術分野】
【０００１】
本発明は、記録媒体および記録再生装置に関し、具体的には、記録内容を書き換え可能な記録媒体に記録された内容を目視可能とする装置および記録媒体に関し、特に、ＣＤ−Ｒ、ＣＤ−ＲＷ、ＤＶＤ−Ｒ、ＤＶＤ−Ｒ／Ｗ、ＤＶＤ−ＲＡＭ、ＤＶＤ−Ｂｌｕ等の光ディスクおよびこれらの光ディスクを用いた記録装置や記録再生装置に適用して好適である。
【背景技術】
【０００２】
従来、ＣＤ−ＲやＣＤ−ＲＷ、ＤＶＤ−Ｒ、ＤＶＤ−ＲＷ、ＤＶＤ−ＲＡＭなどの光ディスク（記録媒体）等のような追記又は書き換え可能な光ディスクは、その光ディスクに書き込まれたデータの内容を示すために、その光ディスクのレーベル面（ラベル面とも言う）に油性マジックペンなどで直接手書きによりデータの内容が書き込まれていた。しかし、このように手書きした場合には、ディスクが傷付きやすく、それにより書き込んだデータが読み出し不可能になってしまうことがある。また、手書きによるレーベル面の書き込みは見た目が悪いため、印刷のようにきれいに仕上げたいという要望があった。
【０００３】
そのためにディスクのレーベル面にラベル印刷装置により印刷したラベルシールを貼付するものが用いられている。しかし、そのラベルシールに印刷するときは、そのシールの位置あわせが面倒であり、また、そのシールを貼り付ける場合には、シールとレーベル面との間に空気が入ったり、シールの中心がずれてしまうことがあり、ディスクの回転動作に影響を及ぼすおそれもあった。
【０００４】
これを解決するために、インクジェット方式の印刷ヘッドを内蔵した光ディスクドライブを用いたり（特許文献１、特許文献２参照）、専用の印刷装置を用いて、光ディスクのレーベル面に直接印刷する方法がある。この場合、インクを受容し易いように印字面が表面加工された“プリンタブル”なものを使用する。
【０００５】
特許文献１や特許文献２の技術では、装置本体内に光ディスクに印字するラベル印刷手段を設けるようにしたことによって、光ディスクへの印字を別装置で行う場合と比較し、ユーザの省スペース化が図れるとともに、光ディスクへの記録データあるいは再生データと関連あるデータの印字が楽になり、記録媒体への関連あるデータの印字忘れを防ぐことができる。
【０００６】
しかしながら、追記または書き換え可能な光ディスクでは、記録内容を追加或いは書き換えができるため、レーベル面へ一度書き込んでしまうと、記録内容を追加或いは書き換えた場合には記録内容と書き込んだ内容とがミスマッチしてしまうことになり、書き込みを躊躇してしまうこととなる。
その結果、記録媒体に記録されている情報を得たい場合、蓄積して増えた記録媒体内の必要とする情報を検索するために、もう一度再生を行って内容を確認するというような不効率な操作を行うので多くの時間を要するという不具合が生じる。
【０００７】
これを解決するため特許文献３の技術では、熱可逆性記録媒体からなるラベルを光ディスクに付加しておき、このラベルを記録部で加熱して所定の可視情報を記録し、消去部で記録した可視情報を消去するようにして、光ディスクのレーベル面に何度でも可視情報を書き換え記録できるようにしている。
【特許文献１】特開２００１−２９１２３５号公報
【特許文献２】特開２００２−４６３０５号公報
【特許文献３】特開平１１−２８３３５６号公報
【発明の開示】
【発明が解決しようとする課題】
【０００８】
上述したように、ＣＤ−ＲＷやＤＶＤ−ＲＷ、ＤＶＤ−ＲＡＭ等の書き換え可能な光ディスクの場合には、記録内容を書き換えてしまうとレーベル面に印刷された内容と記録内容が異なることになってしまう。
このため、上述した特許文献１や特許文献２の技術では、レーベル面に印刷を上書きすることになってしまうため、印刷をあきらめるか、印刷が可能になるよう以前の印刷を消す作業をしたり、新たなラベル用紙を貼り付けてその用紙に印刷するなどの作業が必要になる。
【０００９】
また、特許文献３の技術では、熱可逆性記録媒体からなるラベルを光ディスクへ貼るためディスクの重量増や偏重心を招くことになり、情報記録面に対して記録再生機能に影響を及ぼすおそれがある。
【００１０】
本発明は、上述のような実情を考慮してなされたものであって、記録媒体の記録内容が書き換わっても、記録媒体のレーベル面の目視可能な情報と記録内容とを一致させるようにして、記録媒体の記録内容を読み出して表示する等による確認の手間をなくし、一目で記録内容を認識することができる記録媒体および記録再生装置を提供することを目的とする。
【課題を解決するための手段】
【００１１】
上述した課題を解決するために、記録媒体の記録内容を該記録媒体のレーベル面に目視できるように書き換え可能な表面処理を施した領域をもつ記録媒体を用意する。
この記録媒体のレーベル面は、熱可逆性記録材料を用いて表面処理を施されており、該記録媒体の回転中心を中心とする複数の円周上にまたは螺旋状に記録媒体から読み出した情報を配置して目視可能にしている。
【００１２】
また、上記の記録媒体を用いて記録／記録再生が可能な記録再生装置では、装置の使用を終了するときに、前記記録媒体に記録されている情報を読み出して、前記記録媒体のレーベル面に記録されている目視情報を消去するとともに、該読み出した情報で該レーベル面を書き換えるようにした。この場合、前記記録媒体をローディングするときに、該記録媒体の幅を検知して決定した前記レーベル面の幅に応じて、前記記録媒体から読み出した情報を同心円状または螺旋形状に印刷するように制御する。
印刷する場合、目視情報を消去するときには、該熱可逆性記録材料の加熱状態を制御して消色状態にする。また、目視情報を書き換えるときには、目視情報を消去状態にしてから、該熱可逆性記録材料の加熱状態を制御して発色状態にする。
【００１３】
また、記録再生装置は、装置の使用を終了するときに、記録媒体の記録内容が更新されていた場合、該記録媒体に記録されたデータ名を選択できるようにして、選択されたデータ名に関連した情報を該記録媒体のレーベル面へ印刷できるようにした。
【発明の効果】
【００１４】
本発明によれば、消去および再書き込み可能な表面処理を施した領域を記録媒体に設けることによって、記録媒体（光ディスク）への関連あるデータを毎回印字更新できるため、記録媒体に記録された記録内容を読み出して表示する等による確認の手間がなくなり、一目で記録内容を認識することができる。
【発明を実施するための最良の形態】
【００１５】
以下、図面を参照して本発明の好適な実施形態について説明する。以下の説明では、記録媒体を書き換え可能な光ディスクとして説明するが、追記可能な記録媒体であっても適用することができる。
【００１６】
まず、本実施形態の記録再生装置に用いられる記録媒体（光ディスク）について説明する。図１は、光ディスクの正面図（レーベル面から見た図）である。同図において、光ディスク１の一方の面には、書き換え可能な表面処理がなされた領域であるレーベル面２（印刷面）を備えている。この表面処理としては、例えば、（１）ロイコ染料を用いた発色消色構造を持つ感熱材料を用いる方法、または、（２）特開平０９−３０１３２号公報に記載の可逆性感熱記録材料を用いる方法などがある。
【００１７】
前者（１）の方法は、温度による可逆結晶化変化がロイコ染料の発色と消色を引き起こす特殊な顕色剤を用いる方法で、このような感熱材料を使って表面処理された領域を光ディスク１に設け、この領域をレーベル面２として用いる。
図２は、発色および消色の原理を説明するためのものであり、印字層中に存在するロイコ染料と顕色剤は、発色（印字）に必要な温度（融点（約１７０℃）以上）をかけると、ロイコ染料と顕色剤が分子レベルで混合し、色が現れる。この状態で急激に冷却すると混ざり合ったまま結晶化して発色状態を保つことができる。
【００１８】
一方、緩やかな冷却や、低温加熱状態が一定時間続くと、ロイコ染料と顕色剤が別々に結晶化するため、発色状態を保つことができず色が消える（消色状態）。さらに、ロイコ染料と顕色剤の融点以下でも、ある一定時間の加熱によりロイコ染料と顕色剤が徐々に分離して結晶化し、消色状態となる温度域（約１２０〜１４０℃）がある。
このようなリライト特性（発色⇔消去）を利用して、ロイコ染料と顕色剤の混合物の結晶化のプロセスを制御して、レーベル面２に目視可能な情報を記録する。
【００１９】
後者（２）の方法は、前者（１）と同様に、加えられた熱によってその透明度や色調が可逆的に変化し、常温で透明度または色調が２種類以上の形態で保持される可逆性感熱記録材料を使って表面処理された領域を光ディスク１に設け、この領域をレーベル面２として用いる。図３は、この熱可逆性記録媒体の特性を示すグラフである。同図において、可逆性感熱記録材料は、温度Ｔ2から温度Ｔ3の間の温度に加熱すると透明になり、その後、温度Ｔ0以下の常温に戻っても透明状態が維持される。また、温度Ｔ4以上に加熱すると半透明状態になり、その後、温度Ｔ0以下の常温に戻ると白濁する。
【００２０】
このような現象が生ずるのは、レーベル面２を構成する樹脂母材中に分散した有機低分子物質の粒子と樹脂母材とが隙間なく密着し、かつ、有機低分子物質の粒子部内にも空隙がない状態において、片側から入射した光は散乱することなく反対側に透過するためにレーベル面２が透明に見え、これに対し、有機低分子物質の粒子の微細な結晶が集合して多結晶で構成されると、結晶の界面もしくは粒子と樹脂母材との界面に隙間が生じ、片側から入射した光が空隙と結晶、結晶と樹脂の界面で屈折・反射して散乱するためにレーベル面２が白く見えるためである。
【００２１】
本実施形態では、表面処理として前者（１）の方法を用いて説明するが、後者（２）の方法でも同様に適用することができる。
次に、記録再生装置について説明する。図４は、記録再生装置に光ディスクが挿入された状態の装置断面図である。同図において、１は記録媒体（光ディスク）、３は印刷用（印字）ヘッド、４はローラ、５はスピンドルモータである。このローラ４の代わりに、ディスクテーブルを使って構成するようにしてもよい。
【００２２】
図５は、本発明の記録再生装置の全体制御ブロック図である。同図において、１は記録媒体（光ディスク）、３は印刷用（印字）ヘッド、５はスピンドルモータ、１０は印刷情報データ信号処理回路、１１は印刷用ヘッド駆動回路、１２はシステム制御回路、１３は光ピックアップ、１４はレーザ駆動回路、１５はレーザ出力制御回路、１６は信号記録用回路、１７はスピンドルモータ制御回路、１８はＲＦ信号増幅回路、１９はピックアップ制御回路、２０はデジタル信号処理回路、２１は信号再生用回路、２２は記録信号入力回路より構成する。
【００２３】
光ピックアップ１３は、光ディスク１にレーザ光を照射して光ディスク１に対する情報記録および光ディスク１に記録された情報の再生を行う。
この光ピックアップ１３は、ピックアップ制御回路１９により制御されて光ディスク１の半径方向に移動し、記録時には、信号記録用回路１６およびレーザ出力制御回路１５によりレーザ駆動回路１４を制御して、レーザダイオードからレーザ光の照射タイミングや照射強度等を制御して、光ディスク１の記録面にスポット照射させる。
また、再生時には、レーザ出力制御回路１５によりレーザ駆動回路１４を制御して、レーザダイオードからレーザ光を光ディスク１の記録面にスポット照射させ、光ディスク１の反射光からレファレンス信号、トラッキング信号およびフォーカシング信号を受光して、ＲＦ信号増幅回路１８で増幅し、デジタル信号処理回路２０で処理された信号を信号再生回路２１を介して映像や音声信号として出力する。
【００２４】
印刷用ヘッド３は、多数の発熱素子が光ディスク１の半径方向のライン上に配設されたサーマルヘッドからなり、各発熱素子の発熱の有無、発熱タイミングおよび発熱温度等を制御して、各発熱素子を第１の温度（融点以上）で発熱させて、ロイコ染料と顕色剤を加熱して発色（印字）させ、この状態で急激に冷却させ発色状態を保持させ、また、第２の温度（融点以下）で一定時間発熱させて、ロイコ染料と顕色剤を加熱して消色するという、２種類の発熱エネルギーを選択的に発熱させる。
【００２５】
このような構成の下、記録媒体（光ディスク）１のレーベル面２の目視可能な情報を消去状態にするには、記録媒体（光ディスク）１をローディングし、システム制御回路１２で指令されて印刷用ヘッド駆動回路１１によって印刷用ヘッド３を駆動制御して全ての発熱素子を第２の温度を一定時間発熱させて、ロイコ染料と顕色剤を加熱すると、記録媒体１のレーベル面２の温度が低温維持されてレーベル面２は消色状態となる。
また、印刷用ヘッド３は、印刷用ヘッド駆動回路１１によって記録媒体１の半径方向に移動するため、レーベル面２は全面的に消色状態となり、発熱素子が常温に戻るとそのまま消色状態が保持される。
【００２６】
次に、レーベル面２に記録して目視可能な情報とする場合には、レーベル面２を消色状態にした後、システム制御回路１２で指令されて印刷用ヘッド駆動回路１１によって印刷用ヘッド３を駆動制御して全ての発熱素子を第１の温度に発熱させて、ロイコ染料と顕色剤を加熱し、急速に冷却すると発色状態を保持する。また、印刷用ヘッド３は、印刷用ヘッド駆動回路１１によって記録媒体１の半径方向に移動しながら印刷情報データ信号処理回路１０により出力される印刷情報の書込み信号を出力するため、レーベル面２には所望の印刷情報が目視可能に記録される。このようなレーベル面２に対する目視可能な情報の記録および消去は、何度でも繰り返し実行可能である。
【００２７】
次に、レーベル面へ印刷される印刷情報に関する設定について説明する。
システム制御回路１２は、リモコンの印刷情報設定ボタンを押すことによって図６に示すような画面を装置本体に備えられた表示装置或いは装置へ接続された表示装置へ表示する。これらの項目への移動は、リモコンの上下矢印キーにて行い、この移動した項目には選択対象となっていることが分かるように、例えば、点滅や色を変える等で表示される。
選択対象になった項目を選択するには、右矢印キーを押し、選択を解消するときには左矢印キーを押す。また、選択項目の前に付した「○」はいずれか１つのみ選択可能であり、選択されると「●」で表示される。また、「□」の場合には、その項目自体が選択の対象となっているもので、選択すると「■」で表示される。
最後に、リモコンの決定ボタンを押すと印刷情報設定を終了し、システム制御回路１２の内部メモリへ記憶される。
【００２８】
（１）書込みモード
「自動」を選択すると、ユーザが本装置の使用を終了させた（電源を切る動作を行った）とき、記録媒体（光ディスク）１の記録内容が変更されていると、レーベル面２を消去して記録媒体（光ディスク）１に記録されている情報をもとに書き換える。
また、「ユーザ指定」を選択すると、ユーザが本装置の使用を終了させた（電源を切る動作を行った）とき、記録媒体（光ディスク）１の記録内容が変更されていると、記録媒体（光ディスク）１に記録されている情報を表示させて選択し、レーベル面２を消去して選択された情報に書き換える。
【００２９】
（２）書込み情報
レーベル面に書き込む情報の種類を選択する。書き込む情報の種類は、データ名（タイトル）、作成日、更新日や時刻、ファイル形式などであるが、これらに限定されるものではない。
例えば、音楽データである場合には、アルバム名、曲名（タイトル）、アーチスト名等があり、プログラムやデータ等であれば、階層構造を表わすディレクトリ名、サブディレクトリ名、ファイル名（タイトル）等がある。
【００３０】
（３）書込み文字制限
記録媒体（光ディスク）１に記録された内容を目視可能にする場合、書き込む情報が大量にあればレーベル面に書き切れないことがある。この場合、書き込む文字数の制限を指定することができる。文字数はリモコンのテンキーによって入力する。
制限なしを選択した場合や文字数を指定した場合、レーベル面に書き切れなかった情報は切り捨てられる。
【００３１】
（４）文字の配置
「同心円状」を選択すると、記録媒体（光ディスク）の外側から内側へ向かって、同じ中心を有する複数の円周上に印刷情報を配置して、レーベル面２へ印刷される。
また、「螺旋形状」を選択すると、記録媒体（光ディスク）の外側から内側へ向かって螺旋状に印刷情報を配置して、レーベル面２へ印刷される。
【００３２】
さらに、書込みモードで「ユーザ指定」を選択した場合には、ユーザが本装置の使用を終了させた（電源を切る動作を行った）とき、記録媒体（光ディスク）１の記録内容が変更されていると、図７に示すようなデータ名選択画面が表示され、表示されたデータ名を選択することによって印刷対象の情報を少なくすることができる。
図７のように、記録媒体（光ディスク）１に記録されているデータ名がリスト表示されるので、上下矢印キーを押すことによって選択対象のデータ名を選択状態にする。選択状態となったデータ名は、点滅表示または色を変えて表示される。
この選択状態になったデータ名で、右矢印キーを押して選択し、左矢印キーを押して非選択状態にする。選択されたデータ名は、データ名の前の「□」（非選択状態）が「■」（選択状態）として表示される。
上下矢印キーを押し続けると、画面に表示できなかったデータ名を表示させることができる。
最後に、リモコンの決定ボタンを押すとデータ名の選択を終了し、システム制御回路１２の内部メモリへ記憶された、「書き込み情報」、「書込み文字制限」、「文字の配置」に従って、印刷情報データ処理信号回路１０の制御のもとに、データ名を印刷用ヘッド３でレーベル面２を書き換える。
【００３３】
次に、記録再生装置の動作について説明する。
記録再生装置は、装置に電源が投入され記録媒体（光ディスク）１が挿入されると、このローディング時に記録媒体の幅を検知し、システム制御回路１２はこの幅からレーベル面の幅を算出し、内部メモリへ記憶しておく。さらに、スピンドルモータ５を回転させ、記録媒体（光ディスク）１を所定の回転数に合わせサーバ制御を行い、ユーザの指定に従って読み取り（再生）、消去、書き込みを行う。この間に、記録内容を変更したか否かを記憶しておく。
【００３４】
ユーザが本装置の使用を終了させる（電源を切る動作を行った）と、システム制御回路１２は記録媒体（光ディスク）１の記録内容に変更がなかったことを確認し、変更がなければ直ちに電源をＯＦＦにする。
しかし、システム制御回路１２は、記録媒体（光ディスク）１の記録内容に変更があった場合には、内部メモリに記憶した「書込みモード」を参照する。
【００３５】
書込みモードが「ユーザ指定」の場合には、記録媒体（光ディスク）１に記録されているデータ名等の情報を読み出し、図７に示したデータ名選択画面を表示して、ユーザに書き出したいデータ名を選択させる。
また、書込みモードが「自動」の場合には、記録媒体（光ディスク）１に記録されているすべてのデータ名が選択されたものとみなされる。
【００３６】
次に、システム制御回路１２は、指定されたデータ名に対して「書込み情報」で指定された情報をレーベル面２に書き込むように印刷情報データ信号処理回路１０へ指示するとともに、印刷用ヘッド駆動回路１１を制御して、レーベル面２を消去して、印刷情報を書き込む。この書込み時に、レーベル面２への文字列の配置は、「文字の配置」で指定された同心円状または螺旋形状のいずれかになるように印刷用ヘッド３を制御し、またレーベル面２からはみ出さないように書き出し文字数を制限する。
書き出しが終了すると、電源をＯＦＦにする。
【図面の簡単な説明】
【００３７】
【図１】記録媒体（光ディスク）の正面図（レーベル面から見た図）である。
【図２】ロイコ染料と顕色剤を発色／消色の原理を説明するための図である。
【図３】熱可逆性記録媒体の特性を示すグラフである。
【図４】記録再生装置に光ディスクが挿入された状態の装置断面図である
【図５】本発明の記録再生装置の全体制御ブロック図である。
【図６】印刷情報設定の画面例である。
【図７】データ名選択の画面例である。
【符号の説明】
【００３８】
１…記録媒体（光ディスク）、２…レーベル面（の領域）、３…印刷用ヘッド、４…ローラ、５…スピンドルモータ、１０…印刷情報データ信号処理回路、１１…印刷用ヘッド駆動回路、１２…システム制御回路、１３…光ピックアップ、１４…レーザ駆動回路、１５…レーザ出力制御回路、１６…信号記録用回路、１７…スピンドルモータ制御回路、１８…ＲＦ信号増幅回路、１９…ピックアップ制御回路、２０…デジタル信号処理回路、２１…信号再生回路、２２…記録信号入力回路。
【図１】
2005285201.tif 000003
【図２】
2005285201.tif 000004
【図３】
2005285201.tif 000005
【図４】
2005285201.tif 000006
【図５】
2005285201.tif 000007
【図６】
2005285201.tif 000008
【図７】
2005285201.tif 000009